(57)【要約】【課題】ＩＳＯ感度値を変化させるオートブラケティング撮影中、常にＩＳＯ感度値を撮影者に報知し、ＩＳＯ感度値の変更を可能にする。【解決手段】被写体の画像を撮像する撮像手段と、自動的にＩＳＯ感度を変更した撮影を複数回行わせる（Ｓ２０３〜Ｓ２１６）オートブラケティング撮影モードを備えた電子カメラにおいて、撮影に関する情報を表示する表示手段と、オートブラケティング撮影モードが設定可能な設定手段と、該設定手段によってオートブラケティング撮影モードが設定された時には、オートブラケティング撮影中、前記表示手段にＩＳＯ感度の値を表示する（Ｓ２１０）ように制御する制御手段とを備えている。【選択図】図７ 
2005175908.tif 000002
【特許請求の範囲】
【請求項１】
被写体の画像を撮像する撮像手段と、自動的にＩＳＯ感度を変更した撮影を複数回行わせるオートブラケティング撮影モードを備えた電子カメラにおいて、
撮影に関する情報を表示する表示手段と、オートブラケティング撮影モードが設定可能な設定手段と、該設定手段によってオートブラケティング撮影モードが設定された時には、オートブラケティング撮影中、前記表示手段にＩＳＯ感度の値を表示するように制御する制御手段とを備えたことを特徴とするオートブラケティング機能を有する電子カメラ。
【請求項２】
前記設定手段によりオートブラケティング撮影モードが設定された時には、前記制御手段は、オートブラケティング撮影中、前記表示手段に表示される通常撮影に関する情報の一部をＩＳＯ感度値に変更するように制御することを特徴とする請求項１に記載のオートブラケティング機能を有する電子カメラ。
【請求項３】
被写体の画像を撮像する撮像手段と、自動的にホワイトバランス調整を行うための調整値を変更した撮影を複数回行わせるオートブラケティング撮影モードを備えた電子カメラにおいて、
撮影に関する情報を表示する表示手段と、オートブラケティング撮影モードが設定可能な設定手段と、該設定手段によってオートブラケティング撮影モードが設定された時には、オートブラケティング撮影中に、前記表示手段にホワイトバランス調整のための調整値を表示するように制御する制御手段を備えたことを特徴とするオートブラケティング機能を有する電子カメラ。
【請求項４】
前記設定手段によりオートブラケティング撮影モードが設定された時には、前記制御手段は、オートブラケティング撮影中に、前記表示手段に表示される通常撮影に関する情報の一部を、ホワイトバランス調整のための調整値に変更するように制御することを特徴とする請求項３に記載のオートブラケティング機能を有する電子カメラ。
【請求項５】
前記表示手段に表示するホワイトバランス調整のための調整値は、色温度値であることを特徴とする請求項３又は４に記載のオートブラケティング機能を有する電子カメラ。
【発明の詳細な説明】
【技術分野】
【０００１】
本発明は、ＩＳＯ感度やホワイトバランス調整のための調整値を自動的に変化させながら、連続撮影を行うオートブラケティング（段階露光）機能を有する電子カメラに関するものである。
【背景技術】
【０００２】
従来、銀塩フィルムを用いるスチルカメラでは、夕暮れのシーンや高反射率の被写体が部分的に存在するシーンなど、適正な露出の決定が困難な場合には、同一シーンの露出をわずかに変えながら複数駒撮影し、その中から適正な露出の駒を選択する、いわゆるオートブラケティング撮影が行われる。
【０００３】
撮影デバイスとしてＣＣＤなどを用いる電子スチルカメラを利用する場合でも、露出に関する事情は同じであり、適正でない露光量で撮影を行うと、暗い画像や、逆に明かるすぎる画像しか得られないので、露出決定の難しいシーンでは、銀塩カメラと同様なオートブラケティング撮影を行うことになる。
【０００４】
このようなオートブラケティング撮影モードを備えたカメラにおいては、常にシャッタースピードと絞り値が表示されているのが通常である。そして、オートブラケティング撮影中は、撮影者が設定したブラケティング量（露出補正量）に応じてシャッタースピードまたは絞り値が変化する（カメラのモードによって、どちらか一方または両方が変化する）。シャッタースピードと絞り値は常に表示されているので、ブラケティング撮影中でも、シャッタースピードまたは絞り値を確認することができ、撮影者はシャッタースピードや絞り値が変化することによる撮影効果の変化を確認しながら撮影を行うことができる。
【０００５】
また、電子スチルカメラ特有の手法として、ＣＣＤのゲインやガンマー特性を変化させることで、ＩＳＯ感度の値を自動的に変化させてオートブラケティング撮影を行う手法が特開平１１−４３８０号公報にて開示されている。
【０００６】
さらに、ホワイトバランスの調整値を自動的に変化させてオートブラケティング撮影を行うものが、特開２００１−５４０１３号公報にて開示されている。
【特許文献１】特開平１１−４３８０号公報
【特許文献２】特開２００１−５４０１３号公報
【発明の開示】
【発明が解決しようとする課題】
【０００７】
前述した従来例の場合、ブラケティング撮影を行っている最中でも、シャッタースピードまたは絞り値を確認することができるので、撮影者はシャッタースピードや絞り値が変化することによる撮影効果の変化を確認しながら撮影を行うことができ、大変便利であった。
【０００８】
しかしながら、特開平１１−４３８０号公報や特開２００１−５４０１３号公報にて開示されている、ＩＳＯ感度やホワイトバランス調整値を変化させるオートブラケティング撮影の場合、以下のような問題があった。
【０００９】
通常、ＩＳＯ感度やホワイトバランスの調整値（通常は色温度）は、入力可能なモードでだけ表示され、入力が終了すると表示は消灯してしまい、常にＩＳＯ感度やホワイトバランスの調整値を表示しているものは少なかった。
【００１０】
したがって、ＩＳＯ感度やホワイトバランス調整値を変化させるオートブラケティング撮影を行う場合、ブラケティング補正量に対応したＩＳＯ感度や、色温度の値が表示されていないので、撮影者はブラケティング撮影中変化する、ＩＳＯ感度や、色温度の値を確認することができず、撮影効果を確認することができなかった。
【００１１】
例えばＩＳＯ感度の場合、通常高感度側はノイズが増え、夜景などの撮影シーンではノイズが目立つので、このような場合はブラケティング補正量を小さくしたり、ブラケティングの基準値を変更したりする必要がある。
【００１２】
また、ホワイトバランスの調整値を変更する場合も、ブラケティング撮影中の色温度が分からないので、撮影シーンに応じては過剰な補正が行われている場合でも撮影者は認識することができず、撮影意図とは違った撮影が行われてしまうことがあった。
【００１３】
ＩＳＯ感度や色温度を常に表示する表示装置を設ければ、上記問題を解決できるが、別途表示装置が必要なためコスト高となり、さらにカメラが大型化してしまうなどの問題が発生してしまう。
【００１４】
また、同じ表示エリア内にＩＳＯ感度や色温度を常に表示するセグメントを増やすことでも上記問題を解決できるが、同じ表示エリアに単純にセグメントを増やすと、表示が見えずらくなってしまう。また、表示エリアを広げるとコストアップとなるばかりか、カメラが大型化してしまうという問題が発生してしまう。
【００１５】
また、特開平１１−４３８０号公報や特開２００１−５４０１３号公報には、オートブラケティング撮影中の、ＩＳＯ感度や色温度の表示に関しての記述はないので、上記問題点を解決するものではない。
【課題を解決するための手段】
【００１６】
上記課題を達成するために、請求項１に記載の本発明は、被写体の画像を撮像する撮像手段と、自動的にＩＳＯ感度を変更した撮影を複数回行わせるオートブラケティング撮影モードを備えた電子カメラにおいて、撮影に関する情報を表示する表示手段と、オートブラケティング撮影モードが設定可能な設定手段と、該設定手段によってオートブラケティング撮影モードが設定された時には、オートブラケティング撮影中、前記表示手段にＩＳＯ感度の値を表示するように制御する制御手段とを備えたオートブラケティング機能を有する電子カメラとするものである。
【００１７】
また、請求項２に記載の本発明は、請求項１に記載のオートブラケティング機能を有する電子カメラにおいて、前記設定手段によりオートブラケティング撮影モードが設定された時には、前記制御手段が、オートブラケティング撮影中、前記表示手段に表示される通常撮影に関する情報の一部をＩＳＯ感度値に変更するように制御するオートブラケティング機能を有する電子カメラとするものである。
【００１８】
また、請求項３に記載の本発明は、被写体の画像を撮像する撮像手段と、自動的にホワイトバランス調整を行うための調整値を変更した撮影を複数回行わせるオートブラケティング撮影モードを備えた電子カメラにおいて、撮影に関する情報を表示する表示手段と、オートブラケティング撮影モードが設定可能な設定手段と、該設定手段によってオートブラケティング撮影モードが設定された時には、オートブラケティング撮影中に、前記表示手段にホワイトバランス調整のための調整値を表示するように制御する制御手段とを備えたオートブラケティング機能を有する電子カメラとするものである。
【００１９】
また、請求項４に記載の本発明は、請求項３に記載のオートブラケティング機能を有する電子カメラにおいて、前記設定手段によりオートブラケティング撮影モードが設定された時には、前記制御手段が、オートブラケティング撮影中に、前記表示手段に表示される通常撮影に関する情報の一部を、ホワイトバランス調整のための調整値に変更するように制御するオートブラケティング機能を有する電子カメラとするものである。
【発明の効果】
【００２０】
請求項１又は３に記載の本発明によれば、ＩＳＯ感度値や、ホワイトバランス調整値を変化させるオートブラケティング撮影中、常にＩＳＯ感度値やホワイトバランス調整値を表示するようにしたことによって、不適切なＩＳＯ感度値やホワイトバランス調整値による撮影が行われようとする時には、撮影者にＩＳＯ感度値やホワイトバランス調整値を変更させることができる。
【００２１】
また、請求項２又は４に記載の本発明によれば、ＩＳＯ感度値やホワイトバランス調整値の表示を行うために新たな表示手段や、セグメント等の追加を必要としないことによって、電子カメラの大型化やコストアップを防止することができる。
【発明を実施するための最良の形態】
【００２２】
本発明を実施するための最良の形態は、後述する実施例に記載の通りである。
【実施例】
【００２３】
以下、本発明の一実施例である一眼レフタイプデジタルカメラを詳しく説明する。
【００２４】
なお、本実施例では、記録手段として着脱可能な記録装置を用いているが、本発明はこれに限らず、記録装置を内蔵する形で同様に実施することができる。
【００２５】
図１および図２には、本発明の一実施例である一眼レフタイプデジタルカメラを示している。
【００２６】
図１は、本発明による一眼レフタイプのデジタルカメラの構成を示す上面図、図２は同デジタルカメラの構成を示す背面図である。
【００２７】
図１及び図２において、１００はカメラ本体、１１１はファインダー観察用の接眼窓、１１２はＡＥ（自動露出）ロックボタン、１１３はＡＦ（オートフォーカス）の測距点選択ボタンである。
【００２８】
１１４は撮影操作をするためのレリーズボタンであり、第１ストロークでスイッチＳＷ１がオンし、第２ストロークでスイッチＳＷ２がオンする構成となっている。
【００２９】
１１５は第１の操作手段であるメイン電子ダイヤルで、例えば９０°位相のずれた２ビットの信号をマイクロコンピュータ（後述）に送ることにより、回転方向と回転クリック数が検出される。この回転方向と回転クリック数が検出することで、他の操作釦と併用して、カメラに数値を入力したり、撮影モードを切り換えたりすることが可能となる。なお、この情報設定方法は、特開昭５８−６３９２２号公報や特開昭６０−１０３３３１号公報において公知であるので、詳しい説明は省略する。
【００３０】
１１７は撮影モード選択スイッチ（押しボタン式）、１１８はＡＦモード選択スイッチ（押しボタン式）、１１９は測光モード選択スイッチ（押しボタン式）で、調光補正スイッチも兼ねている。
【００３１】
例えば、撮影モード選択スイッチ１１７を押しながらメイン電子ダイヤル１１５を回転させると、ＴＶ優先→ＡＶ優先→マニュアル→プログラム→ＴＶ優先→ＡＶ優先→マニュアル→プログラム…と変更され、撮影者の意図する撮影モードに設定することができる。
【００３２】
また、メイン電子ダイヤル１１５を逆回転させた時は、プログラム→マニュアル→ＡＶ優先→ＴＶ優先→プログラム→…と撮影モードは変更される。
【００３３】
また、撮影モード選択スイッチ１１７とメイン電子ダイヤル１１５によりＴＶ優先がモードとして設定されている場合には、メイン電子ダイヤル１１５を回転させることにより撮影者の希望するＴＶ値を設定することができる。
【００３４】
また、撮影モード選択スイッチ１１７とメイン電子ダイヤル１１５によりＡＶ優先がモードとして設定されている場合には、メイン電子ダイヤル１１５を回転させることにより撮影者の希望とするＡＶ値を設定することができる。
【００３５】
また、ＡＦモード選択スイッチ１１８と測光モード選択スイッチ１１９を同時に押すことで、ＩＳＯ値の設定やＩＳＯブラケティング量の設定ができるＩＳＯブラケティング設定モードが選択される。尚、ＩＳＯブラケティング設定モードに関しては、後に詳述する。
【００３６】
図２において、１２０は撮影された画像を表示する表示手段としてのＬＣＤモニター装置（液晶表示器）である。１２１はＬＣＤモニター装置１２０をオン／オフするためのモニタースイッチである。
【００３７】
本実施例によるＬＣＤモニター装置１２０は透過型であるため、ＬＣＤモニター装置１２０の駆動だけでは、画像を視認することはできず、必ずその裏面には不図示のバックライト照明装置が必要である。
【００３８】
図１および図２において、１１６はメイン電子ダイヤル１１５と同様の機能を備えた、第２の操作手段であるサブ電子ダイヤルである。撮影モード選択スイッチ１１７とメイン電子ダイヤル１１５によりマニュアルモードが設定された時には、絞り値の入力設定や、プログラムモード（Ｐ）、シャッター優先モード（Ｔｖ）、絞り優先モード（Ａｖ）においては測光した適正露出に対し、カメラの制御露光量を変更する露出補正量の入力設定を行うものである。
【００３９】
図２において、１２２はこのサブ電子ダイヤル１１６による入力機能をロックするダイヤルロックスイッチ、１２３は本デジタルカメラの全ての動作を開始／禁止するメインスイッチである。
【００４０】
１２４はＬＣＤモニター装置１２０に画像を表示する際や、カメラの初期設定の際にモードを選択するためのメニューボタンで、各モードを選択する時は、このメニューボタン１２４を押しながらサブ電子ダイヤル１１６を回転して希望のモードを選択する。希望のモードが選択された時、メニューボタン１２４を離すと選択が完了する。
１４０は撮影条件等を表示する外部表示機能を備えた液晶表示装置よりなる外部液晶表示装置である。
【００４１】
撮影レンズ２００は、カメラ本体１００に対して、不図示の本体マウントを介して交換可能である。
【００４２】
図３は、外部液晶表示装置１４０の詳細図であり、カメラの通常撮影時の表示状態を示している。
【００４３】
１４０ａは露出モードを示すセグメントであり、図３においてはプログラム撮影モード（Ｐ）が選択されている状態を示している。１４０ｂはシャッター秒時表示用セグメントと、絞り値表示用セグメントであり、図３においては、シャッター秒時：１／２５０、絞り値：５．６を示している。１４０ｃは、撮影可能枚数用カウンターのセグメントであり、図３においては、残り１５３枚の撮影が可能であることを示している。１４０ｄは露出補正量を示すセグメントであり、図３は露出補正が行われていない（補正０）状態を示している。
【００４４】
図４は、本発明による一眼レフタイプデジタルカメラの回路構成を示すブロック図である。
【００４５】
図４において、１はカメラ本体に内蔵された制御手段であるところのマイクロコンピュータの中央処理装置（以下、ＭＰＵと記す）である。ＭＰＵ１には、ＡＦ駆動回路１２、絞り駆動回路１３、ミラー駆動回路１４、焦点検出回路１６、シャッター駆動回路１７、映像信号処理回路１１、スイッチセンス回路２１、測光回路２３、液晶表示駆動回路２４が接続されている。ＭＰＵ１は各要素、上記回路を予め定めた順序でシーケンシャルに制御する。
【００４６】
ＡＦ駆動回路１２は、例えば、ステッピングモータによって構成され、ＭＰＵ１の制御によって撮影レンズ２００内のフォーカスレンズ位置を変化させることにより固体撮像素子（以下、ＣＣＤと記す）７にピントを合わせる。
【００４７】
絞り駆動回路１３は、例えば、オートアイリスなどによって構成され、ＭＰＵ１の制御によって絞り２を変化させて光学的な絞り値を変化させる。
【００４８】
４はメインミラーで、撮影レンズ２００により結像される被写体像をペンタプリズム３へ導くと共に、その一部を透過させ、後述するサブミラー５を通して焦点検出センサー１５へ導くものである。ミラー駆動回路１４は、ファインダーにて被写体像を観察可能な位置と撮影時に被写体光束の光路から待避する退避位置とにメインミラー４を移動させるように構成されている。
【００４９】
５はメインミラー４の一部を透過した被写体光を反射させて、焦点検出用センサー１５へ被写体像を導くためのサブミラーである。サブミラー５は、メインミラー４、または、メインミラー４のミラー駆動回路１４と連動し、メインミラー４がファインダーにて被写体像を観察可能な位置にあるときには、焦点検出センサー１５へ被写体光を導く位置に、また、撮影時には被写体光束の光路から待避する退避位置に移動される。
【００５０】
ミラー駆動回路１４は、例えば、ＤＣモータとギヤトレインなどから構成され、ＭＰＵ１の制御によってメインミラー４やサブミラー５を駆動する。
【００５１】
３はペンタダハプリズムで、メインミラー４によって導かれた被写体像を正立正像に変換反射する光学部材である。
【００５２】
撮影レンズ２００を通過した被写体光束は、絞り２を通過して、メインミラー４で反射され、ペンタプリズム３に導かれ、接眼窓１１１を通して被写体像として観察される。さらには測光センサー２２へも導かれる。また、メインミラー４を透過した光束はサブミラー５で反射され、ＣＣＤ７面とほぼ等価な位置におかれた焦点検出センサー１５の検出面上で再結像される。その光像は、電気的なイメージ信号に変換されて、焦点検出回路１６に供給される。
【００５３】
焦点検出回路１６はＭＰＵ１の信号に従い、焦点検出センサー１５の蓄積制御と読み出し制御を行って、画素情報をＭＰＵ１へ出力する。ＭＰＵ１は焦点検出回路１６からの被写体像のイメージ信号に基づいて、周知の位相差検出法による焦点検出演算を行い、撮影レンズ２００による結像面とフィルム面等の予定結像面との差、すなわちデフォーカス量およびデフォーカス方向を求める。そして、ＭＰＵ１は算出したデフォーカス量およびデフォーカス方向に基づいて、ＡＦ駆動回路１２を介して撮影レンズ２００内のフォーカスレンズ位置を変化させ、合焦位置まで駆動する。
【００５４】
６は機械シャッター装置で、ファインダー観察時には被写体光束を遮り、撮像時にはレリーズ信号に応じて被写体光束の光路から待避して露光を開始させる不図示の先羽根群と、ファインダー観察時には被写体光束の光路から待避しているとともに、撮像時には先羽根群の走行開始後所定のタイミングで被写体光束を遮光する不図示の後羽根群とを有するフォーカルプレーンシャッターである。機械シャッター装置６はＭＰＵ１の指令を受けたシャッター駆動回路１７によって制御される。
【００５５】
本実施例においては、先羽根群と後羽根群の両方とを有している場合について説明しているが、遮蔽部材を一つだけとして露光を開始する時は被写体光束の光路から退避し、撮影が終了後再び被写体光束の光路を遮蔽する位置まで戻るような構成としても構わない。
【００５６】
７は撮影レンズ２００により結像された被写体像を撮像して電気信号に変換する固体撮像素子である。固体撮像素子としては、公知の２次元型撮像デバイスであるＣＣＤが用いられている。撮像デバイスには、ＣＣＤ型、ＭＯＳ型、ＣＩＤ型など様々な形態があり、何れの形態の撮像デバイスを採用しても良いが、本実施例においては、光電変換素子（フォトセンサー）が２次元的に配列され、各センサーで蓄積された信号電荷が垂直転送路及び水平転送路を介して出力されるインターライン型ＣＣＤが採用されている。
【００５７】
８はクランプ／ＣＤＳ（相関二重サンプリング）回路で、Ａ／Ｄ変換する前の基本的なアナログ処理を行うと共に、クランプレベルの変更も可能なものである。
【００５８】
９はＡＧＣ（自動利得調整装置）で、Ａ／Ｄ変換する前の基本的なアナログ処理を行うと共に、ＡＧＣ基本レベルの変更も可能なものである。なお、ＡＧＣ基本レベルは、後述するＩＳＯの設定に対応した値で行う。つまり、ＩＳＯの値が変更されると、ＡＧＣの基本レベルが変更されることになる。なお、ＣＣＤ７、クランプ／ＣＤＳ回路８、ＡＧＣ９、Ａ／Ｄ変換器１０にて、撮像手段を構成している。
【００５９】
１１は映像信号処理回路で、デジタル化されたＣＣＤ７の画像データに、ガンマー／ニー処理、フィルター処理、モニター表示用の情報合成処理など、ハードウエアによる画像処理全般を担当する。この映像信号処理回路１１からのモニター表示用の画像データは、ＬＣＤ駆動回路２５を介してＬＣＤモニター１２０に表示される。
【００６０】
これらの機能の切り換えは、ＭＰＵ１とのデータ交換により行われ、必要に応じてＣＣＤ７の出力信号のホワイトバランス情報をＭＰＵ１に出力可能であり、その情報を基にＭＰＵ１はホワイトバランス調整やゲイン調整を行う。
【００６１】
また、ＭＰＵ１の指示により、何もせずにメモリコントローラ２６を通じて、バッファメモリ２７に画像データを保存することも可能である。また、映像信号処理回路１１は、ＪＰＥＧなどの圧縮処理を行う機能も有している。
【００６２】
また、連写の場合は、一旦、バッファメモリ２７に画像データを格納し、処理時間がかかる場合にメモリコントローラ２６を通して未処理の画像データを読み出し、映像信号処理回路１１で画像処理や圧縮処理を行い、連写スピードを稼ぐ構成となっている。連写枚数は、バッファメモリ２７の大きさに大きく左右される。
【００６３】
メモリコントローラ２６では、映像信号処理回路１１から入力された未処理のデジタル画像データをバッファメモリ２７に格納し、処理済みのデジタル画像をメモリ２８に格納したり、逆にバッファメモリ２７やメモリ２８から画像データを映像信号処理回路１１に出力したりする。
【００６４】
また、メモリコントローラ２６は、外部からインターフェース２９を経て送られてくる映像をメモリ２８に記憶することや、メモリ２８に記憶されている画像を外部へインターフェース２９から出力可能である。なお、メモリ２８は、カメラ本体に対して取り外しが可能である。
【００６５】
２１はスイッチセンス回路で、各スイッチの操作状態に応じて各部を制御する。１１４ａはレリーズボタン１１４の第１ストロークによりオンする、撮影準備動作を開始させるためのスイッチＳＷ１である。１１４ｂは、レリーズボタン１１４の第２ストロークによりオンするスイッチＳＷ２である。スイッチＳＷ２がオンされるとレリーズ動作が開始される。
【００６６】
また、メイン電子ダイヤル１１５、サブ電子ダイヤル１１６、撮影モード選択スイッチ１１７、ＡＦモード選択スイッチ１１８、測光モード選択スイッチ１１９が接続されていて、各スイッチの状態をＭＰＵ１へ送信する。 
【００６７】
２３は測光回路で、画面内の各エリアの輝度信号として、測光センサー２２からの出力をＭＰＵ１に出力する。ＭＰＵ１は輝度信号をＡ／Ｄ変換し、撮影の露出を算出する。
【００６８】
２４は液晶表示駆動回路で、ＭＰＵ１の表示内容命令に従って、外部液晶表示装置１４０やファインダー内液晶表示装置３０を駆動する。また、液晶表示駆動回路２４は、ＭＰＵ１の指示により特定のセグメントを点滅表示状態にすることが可能である。
【００６９】
３１は電源部で、各ＩＣ（集積回路）や駆動系に必要な電源を供給する。
【００７０】
次に、図６及び図７を用いて、ＩＳＯブラケティング撮影の設定方法について説明する。ＩＳＯブラケティング撮影とは、露光時間は変えずに（シャッタースピードや絞り値を変化させずに）ＩＳＯの値を段階的に変更して撮影を行うものである。
【００７１】
尚、本実施例ではＣＣＤ７のゲインを変化させることで、ＩＳＯの値を変更しているが、これに限定するものでは無く、例えば、ガンマーの値を変更しても良い。
【００７２】
図６のステップＳ１００において、ＡＦモード選択スイッチ１１８と測光（ＡＥ）モード選択スイッチ１１９の両方が、オンしたか否かを判別する。オンされたと判別されたならば、ステップＳ１０１へ移行し、ＩＳＯブラケティング設定モードになる。この時、外部液晶表示装置１４０は、図５に示す表示となる。
【００７３】
図５において、（ａ）は初期の状態を示している。後に詳述する操作が行われると、（ｂ）以降の表示に変化していく。１４０ｃは設定されているＩＳＯの値を示している。１４０ｄはＩＳＯのブラケティング補正量をドットにて示し、１ドットが１／３段を表している。１４０ｂはブラケティング補正量を７セグメント表示にて示している。
【００７４】
図６に戻って、ステップＳ１０２，ステップＳ１０４では、それぞれメイン電子ダイヤル１１５とサブ電子ダイヤル１１６の入力を判別する。入力がされない時にはステップＳ１０７へ移行する。
【００７５】
ステップＳ１０２において、メイン電子ダイヤル１１５の入力が確認されると、ステップＳ１０３にて、ＩＳＯの値を変更する。この時の図５における１４０ｃの表示は、初期値の値がＩＳＯ２００ならば、メイン電子ダイヤル１１５が１クリック回転される毎に、２００→２５０→３２０→４００・・・１６００まで１／３段づつ増加していく。また、逆回転方向に操作されると、１６００→１２５０→１０００→８００・・・→２００と１／３段づつ減少していく。
【００７６】
図６に戻って、ステップＳ１０４にてサブ電子ダイヤル１１６の入力が確認されると、ステップＳ１０５にて、ブラケティングの補正量が決定される。この時の図５における１４０ｄの表示は、初期状態である図５（ａ）の状態から、サブ電子ダイヤル１１６が１クリック回転される毎に、１ドットずつ変化していく。図５（ｂ）は、サブ電子ダイヤル１１６が初期状態図５（ａ）から１クリック操作されたときのドットの状態を示し、図５（ｃ）はサブ電子ダイヤル１１６が初期状態から、２クリック操作された状態を示している。また、サブ電子ダイヤル１１６を逆方向に回転されると、図５（ｃ）の状態から図５（ｂ）→図５（ａ）の状態へ１ドットずつ逆に変化していく。
【００７７】
１４０ｂの表示もドットの表示に対応して、サブ電子ダイヤル１１６が１クリック回転される毎に、０．０→０．３→０．７→・・・→３．０まで１／３段づつ変化していく。また、逆方向へ回転されると、３．０→２．７→２．３→・・・→０．０と変化していく。
【００７８】
図６に戻って、ステップＳ１０５にてＩＳＯブラケティングの補正が行われると、ステップＳ１０６にて、ＩＳＯブラケティングのフラグを設定し、変数Ｎ＝０をＭＰＵ１内のメモリに記憶して、ステップＳ１０７へ移行する。このフラグが設定されると、後述するＩＳＯブラケティング撮影が行われる。つまりは、ＩＳＯブラケティング設定モードにてサブ電子ダイヤル１１６が操作され、ブラケティング補正量が設定されると、ＩＳＯブラケティング撮影が行われることになる。
【００７９】
ステップＳ１０７では、ＡＦモード選択スイッチ１１８、測光（ＡＥ）モード選択スイッチ１１９がオフしたか否かを判別し、オフしていない場合には、以上説明した操作を繰り返し、オフされたと判別された時には、ステップＳ１０８へ移行する。
【００８０】
ステップＳ１０８では、ＩＳＯブラケティングのフラグ（変数Ｎ＝０）が設定されているか否かを判別する。設定されているときはステップＳ１０９へ移行し、設定されていない時は、ＩＳＯブラケティング設定モードを終了する。
【００８１】
ステップＳ１０９において、制御手段であるＭＰＵ１は、図３にて説明した外部液晶表示装置１４０のセグメント１４０ｃの表示を、ＩＳＯ表示へ変更する。このときの表示は図９の表示となる。
【００８２】
ここで、図９を用いてＩＳＯブラケティング撮影中の表示について説明する。図９（ａ），（ｂ），（ｃ）は、それぞれ露出アンダー，露出適正，露出オーバーの撮影時の表示状態を示している。図９（ａ）において、１４０ｃはＩＳＯブラケティング撮影時のＩＳＯの値を表示している（通常撮影時は図３にて説明した通り、撮影可能枚数用カウンターの値である）。１４０ｄはＩＳＯブラケティング撮影時の露出補正量を表し、−１／３段補正していることを表している。なお、この１４０ｄのドットはＩＳＯブラケティング撮影中点滅を続けている。１４０ｅは１４０ｃの表示がＩＳＯ表示であることを、撮影者に報知しているＩＳＯ表示セグメントである。また、ＩＳＯブラケティング撮影中、点滅を続けているので、撮影者はＩＳＯ設定モードではなく、ＩＳＯブラケティング撮影中であることを知ることができる。図９（ｂ），（ｃ）の表示については後述する。
【００８３】
以上説明したように、ＩＳＯブラケティング撮影が行われると、通常撮影中は撮影可能枚数が表示されているセグメントをＩＳＯ表示に切り換えることで、撮影者はＩＳＯブラケティング撮影中のＩＳＯ値を常に確認することが可能となる。
【００８４】
また、セグメントを共有しているので、新たな表示装置やセグメントの追加を必要としないため、コストアップやカメラの大型化を防止することができる。
【００８５】
次に、図７を用いて、ＩＳＯブラケティングの撮影シーケンスについて説明する。図７のステップＳ２０１にて  スイッチＳＷ1がオンされたか否かを判別し、オンされたと判別されたならば、ステップＳ２０２へ移行する。
【００８６】
ステップＳ２０２では測光回路２３の出力されたデータに基づいて、ＭＰＵ１にて露出値（シャッタースピードや絞り値を算出）を算出する。尚、前記測光回路２３は合焦した焦点検出領域を含む測光領域（不示図）に重み付けされた公知の測光演算を行い、露出値が演算される。また、同時に焦点検出回路１６の出力であるフォーカス情報に基づいてＭＰＵ１はレンズ駆動量を演算決定し、ＡＦ駆動回路１２を用いて撮影レンズ２００の一部のレンズを駆動し、ピント調整する。
【００８７】
ステップＳ２０３では、スイッチＳＷ２がオンされたか否かを判別する。オンされていないと判別された時には、ステップＳ２０１へ移行して、すでに説明した動作を繰り返す。ステップＳ２０３にて、オンされたと判別した時にはステップＳ２０４へ移行する。
【００８８】
このステップＳ２０４の撮影処理について図８を用い詳細に説明する。
【００８９】
図８は、図７のステップＳ２０４における撮影処理の詳細なフローチャートを示す。
【００９０】
ステップＳ３０１でミラー駆動回路１４は、ＭＰＵ１の命令により、メインミラー４及びサブミラー５をミラーアップ位置に移動する。
【００９１】
ステップＳ３０２において、ＭＰＵ１は図７のステップＳ２０２にて算出された絞り値に、絞り駆動回路１３によって絞り２を駆動する。
【００９２】
ステップＳ３０３において、ＭＰＵ１は、ＣＣＤ７の電荷クリア動作を行った後に、ステップＳ３０４にてＣＣＤ７の電荷蓄積を開始して、ステップＳ３０５へ移行する。
【００９３】
ステップＳ３０５において、シャッター駆動回路１７によって、機械シャッター装置６内の先羽根群を駆動させ（シャッターが開く）、ＣＣＤ７の露光を開始する（ステップＳ３０６）。
【００９４】
ステップＳ３０７において、ＭＰＵ１は、図７のステップＳ２０２にて算出されたＣＣＤ７の露光時間が終了したか否かを判別し、終了したと判別された時には、ステップＳ３０８へ移行する。
【００９５】
ステップＳ３０８において、シャッター駆動回路１７はＭＰＵ１の指示に従い、機械シャッター装置６内の後羽根群を駆動して、シャッターを閉じ、ＣＣＤ７の露光を終了する。
【００９６】
ステップＳ３０９において、絞り駆動回路１３は絞り２を開放の絞り値まで駆動すると共に、ステップＳ３１０にて、メインミラー４とサブミラー５をミラー駆動回路１４によってミラーダウン位置に移動する。
【００９７】
ステップＳ３１１では、設定した電荷蓄積時間が経過したか否かを判別し、経過したと判別されたならば、ステップＳ３１２へ移行する。
【００９８】
ステップＳ３１２において、ＭＰＵ１は、ＣＣＤ７の電荷蓄積を終了し、その後、ステップＳ３１３にて、ＣＣＤ７から電荷信号を読み出す。
【００９９】
一連の処理を終えたならば、撮影処理ルーチンステップＳ２０４を終了して、ステップＳ２０５へ移行する。
【０１００】
ステップＳ２０５では、図６のステップＳ１０６にてＩＳＯブラケティングフラグが設定されているか否かを判別する。ＩＳＯブラケティングフラグが設定されていない時には、ステップＳ２１１へ移行して、後述する動作を行う。
【０１０１】
ＩＳＯブラケティングフラグが設定されている時には、ステップＳ２０６へ移行する。ステップＳ２０６では、ＭＰＵ１は変数Ｎの値を調べ、Ｎ＝０ならば、ステップＳ２０７へ移行して、図６のステップＳ１０６にて設定されたブラケティング補正量に相当する分、ＡＧＣ９はゲインをアンダー側へ補正する。その後、ステップＳ２１０へ移行する。
【０１０２】
Ｎ＝１ならば、ステップＳ２０８へ移行して、ＡＧＣ９は、図６のステップＳ１０３にて設定したＩＳＯ値に相当する分のゲイン補正を行い、ステップＳ２１０へ移行する。
【０１０３】
Ｎ＝２ならば、ステップＳ２０９へ移行して、図６のステップＳ１０６にて設定されたブラケティング補正量に相当する分、ＡＧＣ９はゲインをオーバー側へ補正して、ステップＳ２１１へ移行する。
【０１０４】
ステップＳ２１０では、外部液晶表示装置１４０の表示を切り換える。表示の切り換えについて図９を用いて詳述する。図９（ａ）はすでに説明した通り、ＩＳＯブラケティングが設定された直後の状態で、露出アンダーであることを示している。なお、図９（ａ）は−１／３段補正された状態を示している。
【０１０５】
図９（ｂ）は、図７におけるステップＳ２０７の設定後、ステップＳ２１０で表示を切り換えた状態で、適正露出での撮影状態を示している。１４０ｃは図６のステップＳ１０２で設定されたＩＳＯの値を表示し、１４０ｄは補正０の状態を示している。
【０１０６】
図９（ｃ）は、図７におけるステップＳ２０８の設定後、ステップ２１０で表示を切り換えた状態で、露出オーバーでの撮影状態を示している。なお、図９（ｃ）は＋１／３段補正された状態を示している。１４０ｃは図６のステップＳ１０５で設定されたブラケティング補正量に対応したＩＳＯ値を示している。
【０１０７】
このように、ＩＳＯブラケティング中のＩＳＯ値が常に表示されているので、撮影者はＩＳＯの変化によるノイズの増減を常に意識しながら撮影を行うことができる。
【０１０８】
図７に戻って、ステップＳ２１１において映像信号処理回路１１にて所定の画像処理をした後に、圧縮処理を行って、ステップＳ２１２へ移行し、メモリコントローラ２６は圧縮されたデータをメモリ２８へ記録して、ステップＳ２１３へ移行する。
【０１０９】
ステップＳ２１３において、ＭＰＵ１は、ＭＰＵ１内の内部メモリに記憶されたＩＳＯブラケティングフラグの状態を調べ、ＩＳＯブラケティングフラグが設定されていたならばステップＳ２１４へ進み、ＩＳＯブラケティングフラグが解除されていたならば一連の撮影を終了する。
【０１１０】
ステップＳ２１４では、ＭＰＵ１は、変数Ｎに対してＮ＝Ｎ＋１として、ステップＳ２１５へ移行する。
【０１１１】
ステップＳ２１５でＭＰＵ１は、変数ＮがＮ＝３に到達したかどうかを判断し、Ｎ＝３に到達していると判断されたならば、ステップＳ２１６にてＩＳＯブラケティングフラグを解除して、撮影を終了する。
【０１１２】
ステップＳ２１４で変数ＮがＮ＝３に到達していないと判断されたならば、ステップＳ２０４へ戻り、次の撮影を行う。
【０１１３】
本実施例では、ＩＳＯブラケティングにて説明を行ったが、本発明はこれに限定されるものではなく、例えばホワイトバランスのブラケティングにおいても適用が可能である。この場合はメイン電子ダイヤルにて色温度の設定を行い、サブ電子ダイヤルにて設定された補正量分、色温度を補正する。そして、ホワイトバランスブラケティング撮影中は、外部液晶表示装置１４０内のセグメント１４０ｃにホワイトバランス調整値、例えば色温度を表示する構成とする。
【図面の簡単な説明】
【０１１４】
【図１】本発明の実施例であるデジタル一眼レフカメラの外観を示す上面図である。
【図２】本発明の実施例であるデジタル一眼レフカメラの外観を示す背面図である。
【図３】本発明の実施例であるデジタル一眼レフカメラの外部液晶表示装置の通常時の表示例を示す図である。
【図４】本発明の実施例であるデジタル一眼レフカメラの電気回路構成を示すブロック図である。
【図５】本発明の実施例であるデジタル一眼レフカメラのＩＳＯブラケティング設定時における外部液晶表示装置の表示例を示す図である。
【図６】本発明の実施例であるデジタル一眼レフカメラのＩＳＯブラケティング設定動作を示すフローチャートである。
【図７】本発明の実施例であるデジタル一眼レフカメラのＩＳＯブラケティング撮影動作を示すフローチャートである
【図８】本発明の実施例であるデジタル一眼レフカメラの撮影サブルーチンを示すフローチャートである。
【図９】本発明の実施例であるデジタル一眼レフカメラのＩＳＯブラケティング撮影中における外部液晶表示装置の表示例を示す図である。
【符号の説明】
【０１１５】
１      マイクロコンピュータ（ＭＰＵ）
２      絞り
３      ペンタダハプリズム
４      メインミラー
５      サブミラー
６      機械シャッター装置
７      ＣＣＤ（固体撮像素子）
８      クランプ／ＣＤＳ回路
９      ＡＧＣ
１０    Ａ／Ｄ変換器
２４    液晶表示駆動回路
１００  カメラ本体
１１４  レリーズボタン
１１５  メイン電子ダイヤル
１１６  サブ電子ダイヤル
１１７  撮影モード選択スイッチ
１１８  ＡＦモード選択スイッチ
１１９  測光モード選択スイッチ
１２０  ＬＣＤモニター
１４０  外部液晶表示装置
２００  撮影レンズ
【図１】
2005175908.tif 000003
【図２】
2005175908.tif 000004
【図３】
2005175908.tif 000005
【図４】
2005175908.tif 000006
【図５】
2005175908.tif 000007
【図６】
2005175908.tif 000008
【図７】
2005175908.tif 000009
【図８】
2005175908.tif 000010
【図９】
2005175908.tif 000011